(57)【要約】【課題】ストレッチの効果をより高めることが可能なストレッチ装置を提供する。【解決手段】ストレッチ装置１は、座部１０を有する。座部１０は、座面１１、底面１２、および突起部１３を有する。座部１０の底面１２が床面１００に接するように設置されるとき、座面１１は、床面１００に対して所定の座面傾斜角度θ１を有する。突起部１３は、使用者８０が座部１０に着座するとき、使用者８０の大腿部９１に接触可能な位置に形成される。【選択図】図１
2014100223.tif 000002
【特許請求の範囲】
【請求項１】
座部を有するストレッチ装置であって、
前記座部は、後端部から前端部に向けて下り勾配となる傾斜面の座面を有し、
前記座部は、前記座面に突起部を有し、
前記突起部は、使用者が前記座部に着座するとき使用者の大腿部に接触可能な位置に形成される
ストレッチ装置。
【請求項２】
前記ストレッチ装置は、伸縮機構を有し、
前記伸縮機構は、伸縮動作に応じて前記座面の設置面に対する座面傾斜角度を変更する
請求項１に記載のストレッチ装置。
【請求項３】
前記突起部は、前記座部の左右方向を長辺とする横長形状である
請求項１または２に記載のストレッチ装置。
【請求項４】
前記突起部は、前記座部の前端部に形成される
請求項１〜３のいずれか一項に記載のストレッチ装置。
【請求項５】
前記ストレッチ装置は、前記座面の後部に背もたれ部を有する
請求項１〜４のいずれか一項に記載のストレッチ装置。
【請求項６】
前記背もたれ部は、前記座面に対して前記座面の傾斜方向に回動可能に構成され、
前記座面と交わる角度を９０度よりも小さな値に設定可能である
請求項５に記載のストレッチ装置。
【請求項７】
前記ストレッチ装置は、脚部押圧機構を有し、
前記脚部押圧機構は、使用者の脚部を側方および上方の少なくともいずれか一方向から押圧する
請求項１〜６のいずれか一項に記載のストレッチ装置。
【請求項８】
前記突起部は、前記座部の左右方向における中央部が前記前端部側に突出した弧状に形成される
請求項１〜７のいずれか一項に記載のストレッチ装置。
【請求項９】
前記突起部は、前後方向に回転可能に構成される
請求項１〜７のいずれか一項に記載のストレッチ装置。
【請求項１０】
前記座面は、座面エアバッグを有し、
前記座面エアバッグは、膨張時に前記突起部を形成する
請求項１〜７のいずれか一項に記載のストレッチ装置。
【請求項１１】
前記背もたれ部は、背部エアバッグを有し、
前記背部エアバッグは、膨張して使用者の背部を押圧する
請求項５または６に記載のストレッチ装置。
【発明の詳細な説明】
【技術分野】
【０００１】
本発明は、ストレッチ装置に関する。
【背景技術】
【０００２】
大腿裏筋肉は、ストレッチをすることで血流が良くなり、筋肉が効率良く使われるようになる。このため、大腿裏筋肉のストレッチは、膝痛および腰痛防止に効果がある。ストレッチの実施者は、ストレッチに適した姿勢でストレッチを行うとき、より良いストレッチ効果を得ることができる。ストレッチ装置は、ストレッチ実施者である使用者がストレッチに適した姿勢を取ることができるための補助を行う。特許文献１は、従来のストレッチ装置としてのストレッチ補助クッションの一例を開示している。ストレッチ補助クッションは、座面に座った使用者の骨盤を前傾させる。ストレッチ補助クッションは、使用者の股関節周辺のストレッチを効率良く行うことを補助する。
【先行技術文献】
【特許文献】
【０００３】
【特許文献１】特開２００８−７３５０４号公報
【発明の概要】
【発明が解決しようとする課題】
【０００４】
ストレッチ補助クッションを使用したストレッチは、使用者が意識的にストレッチを行うことにより筋肉を伸ばす効果を得ることができる。つまり、ストレッチの効果は、使用者の意識の強さに依存する。このため、大腿裏筋肉の伸ばすストレッチ効果を高める点において改善の余地がある。
【０００５】
本発明は、以上の背景をもとに創作されたものであり、ストレッチの効果をより高めることが可能なストレッチ装置を提供することを目的とする。
【課題を解決するための手段】
【０００６】
（１）第１の手段は、「座部を有するストレッチ装置であって、前記座部は、後端部から前端部に向けて下り勾配となる傾斜面の座面を有し、前記座部は、前記座面に突起部を有し、前記突起部は、使用者が前記座部に着座するとき使用者の大腿部に接触可能な位置に形成されるストレッチ装置」を含む。
【０００７】
ストレッチ装置は、座面および底面を備えた座部を有する。座部の底面が床面に接するように設置されるとき、座面は、床面に対して所定の座面傾斜角度を有する。座部は、座面に座面から突出した形状の突起部を有する。使用者は、ストレッチ動作を行うとき、臀部を座面に載せる。使用者は、大腿部の裏側に位置する大腿裏筋肉を突起部に載せる。この構成によれば、使用者が座面に着座するとき、使用者の上半身が前傾姿勢となる。このため、前傾姿勢となる使用者の上半身の体重が突起部にかかる。このため、突起部が支点となり大腿裏筋肉が伸ばされる。使用者は、ストレッチ装置の座部に着座し突起部に大腿部を載せることにより、大腿裏筋肉が伸ばされるストレッチ効果を得ることができる。
【０００８】
（２）第２の手段は、「前記ストレッチ装置は、伸縮機構を有し、前記伸縮機構は、伸縮動作に応じて前記座面の設置面に対する座面傾斜角度を変更するストレッチ装置」を含む。
【０００９】
（３）第３の手段は、「前記突起部は、前記座部の左右方向を長辺とする横長形状であるストレッチ装置」を含む。
（４）第４の手段は、「前記突起部は、前記座部の前端部に形成されるストレッチ装置」を含む。
【００１０】
（５）第５の手段は、「前記ストレッチ装置は、前記座面の後部に背もたれ部を有するストレッチ装置」を含む。
（６）第６の手段は、「前記背もたれ部は、前記座面に対して前記座面の傾斜方向に回動可能に構成され、前記座面と交わる角度を９０度よりも小さな値に設定可能であるストレッチ装置」を含む。
【００１１】
（７）第７の手段は、「前記ストレッチ装置は、脚部押圧機構を有し、前記脚部押圧機構は、使用者の脚部を脚部の側方および上方の少なくともいずれか一方向から押圧するストレッチ装置」を含む。
【００１２】
（８）第８の手段は、「前記突起部は、前記座部の左右方向における中央部が前記前端部側に突出した弧状に形成されるストレッチ装置」を含む。
（９）第９の手段は、「前記突起部は、前後方向に回転可能に構成されるストレッチ装置」を含む。
【００１３】
（１０）第１０の手段は、「前記座面は、座面エアバッグを有し、前記座面エアバッグは、膨張時に前記突起部を形成するストレッチ装置」を含む。
（１１）第１１の手段は、「前記背もたれ部は、背もたれ部エアバッグを有し、前記背もたれ部エアバッグは、膨張して使用者の背部を押圧するストレッチ装置」を含む。
【発明の効果】
【００１４】
本ストレッチ装置は、ストレッチの効果をより高めることに貢献する。
【図面の簡単な説明】
【００１５】
【図１】第１実施形態におけるマッサージ装置に関する図であり、（ａ）はマッサージ機の斜視図、（ｂ）はマッサージ機および使用者の側面図。
【図２】第１実施形態のマッサージ装置における座面の座面傾斜角度θ１および座面高さＨの対応図。
【図３】第２実施形態のマッサージ装置において第１伸縮機構が伸張した状態に関する図であり、（ａ）はマッサージ機の側面図かつ内部構成図、（ｂ）はマッサージ機の斜視図。
【図４】第２実施形態のマッサージ装置において第１伸縮機構が収縮した状態に関する図であり、（ａ）はマッサージ機の側面図かつ内部構成図、（ｂ）はマッサージ機の斜視図。
【図５】第３実施形態におけるマッサージ装置に関する図であり、（ａ）はマッサージ機の斜視図、（ｂ）はマッサージ機および使用者の側面図。
【図６】第３実施形態のマッサージ装置において背もたれ部が前方向に傾斜した状態に関する図であり、（ａ）はマッサージ機の斜視図、（ｂ）はマッサージ機および使用者の側面図。
【図７】第４実施形態におけるマッサージ装置に関する図であり、（ａ）はマッサージ機の斜視図、（ｂ）はマッサージ機および使用者の平面図。
【図８】第５実施形態におけるマッサージ装置に関する図であり、（ａ）はマッサージ機の斜視図、（ｂ）はマッサージ機および使用者の側面図。
【図９】第６実施形態におけるマッサージ装置に関する図であり、（ａ）はマッサージ機の斜視図、（ｂ）はマッサージ機および使用者の平面図。
【図１０】第７実施形態におけるマッサージ装置に関する図であり、（ａ）はマッサージ機の座面エアバッグが収縮した状態での側面図、（ｂ）はエアバッグ駆動部のブロック構成図、（ｃ）はマッサージ機の座面エアバッグが膨張した状態での側面図。
【図１１】第８実施形態におけるマッサージ装置に関する図であり、（ａ）はマッサージ機の斜視図、（ｂ）はマッサージ機および使用者の側面図。
【図１２】第９実施形態におけるマッサージ機および使用者の側面図であり、（ａ）は背部エアバッグが収縮した状態での側面図、（ｂ）は背部エアバッグが膨張した状態での側面図。
【発明を実施するための形態】
【００１６】
（第１実施形態）
図１を参照して、ストレッチ装置１の概略構成について説明する。
図１（ａ）に示されるように、ストレッチ装置１は、座部１０を有する。座部１０は、座面１１および底面１２を有する。座部１０の底面１２がストレッチ装置１の設置面である床面１００に接するように設置されるとき、座面１１は、床面１００に対する座面傾斜角度θ１を所定の大きさとする勾配を有する。以下、鉛直方向を高さ方向、座面１１の傾斜面の高さ方向における高位側から低位側に向けての下り勾配にそって延びる方向を前後方向における前方とする。また、前後方向に対して直角に交わる方向を左右方向とする。
【００１７】
座部１０は、突起部１３を有する。突起部１３は、座面１１から突出した形状が座面１１の前端部において左右方向に伸びる横長形状とされる。突起部１３は、突起形状が曲面を持った凸型形状とされる。突起部１３は、ポリプロピレンを原料にした低反発素材により形成される。
【００１８】
図１（ｂ）に示されるように、ストレッチを実施する使用者８０は、ストレッチを行うとき、足先を前方に向けて座部１０に着座する。座面１１は、使用者８０の臀部を支持する。使用者８０は、脚部９０の大腿部９１の裏側に位置する大腿裏筋肉９５を突起部１３に載せ、膝９２を伸ばした状態で踵９４が床面に接する姿勢をとる。
【００１９】
座面１１の座面傾斜角度θ１は、５〜４５度の範囲で設定される。座部１０の前後方向における使用者８０の臀部を支える位置における座面１１の底面１２からの座面高さＨは、座面傾斜角度θ１が５〜４５度の範囲で設定されるとき、図２に示される値に設定される。座面傾斜角度θ１および座面高さＨが図２に示される値に設定されるとき、標準体型の使用者８０が大腿裏筋肉９５を突起部１３に載せ、膝９２を伸ばした姿勢において、踵９４は、床面１００に接する。すなわち、座面１１は、座面１１に着座した使用者８０の足裏の筋肉を伸ばした状態で使用者８０の踵９４がストレッチ装置１の接地面である床面１００に接するように座面高さおよび傾斜角度が設定される。
【００２０】
使用者８０は、図１（ｂ）に示される姿勢でストレッチを実施する。
本実施形態のストレッチ装置１は、以下に示す効果を奏する。
（１）ストレッチ装置１は、座面１１および底面１２を備えた座部１０を有する。座部１０の底面１２が床面１００に接するように設置されるとき、座面１１は、座面傾斜角度θ１として所定の大きさを有する。座部１０は、座面１１から突出した形状が座面１１の前端部において左右方向に伸びる突起部１３を有する。使用者８０は、ストレッチ動作を行うとき、臀部を座面１１に載せる。使用者８０は、大腿部９１の裏側に位置する大腿裏筋肉９５を突起部１３に載せる。この構成によれば、使用者８０が座面１１に着座するとき、骨盤が前傾することで自然に使用者８０の上半身が前傾姿勢となり使用者８０の上半身の体重が突起部１３にかかる。このため、突起部１３が支点となり大腿裏筋肉９５が伸ばされる。使用者８０は、ストレッチ装置１の座部１０に着座し突起部１３に大腿部９１を載せることにより、大腿裏筋肉９５が伸ばされるストレッチ効果を得ることができる。
【００２１】
（２）ストレッチ装置１は、座面１１および底面１２を備えた座部１０を有する。座部１０の底面１２が床面１００に接するように設置されるとき、座面１１は、座面傾斜角度θ１として所定の大きさを有する。座部１０は、突起部１３を有する。使用者８０は、ストレッチ動作を行うとき、臀部を座面１１に載せる。使用者８０は、大腿部９１の裏側に位置する大腿裏筋肉９５を突起部１３に載せる。突起部１３は、突起形状が曲面を持った凸型形状とされる。この構成によれば、使用者８０は、大腿裏筋肉９５を湾曲に伸ばすことができる。このため、使用者８０は、大腿裏筋肉９５を痛めることなく安全に伸ばすことができる。
【００２２】
（第２実施形態）
第２実施形態のストレッチ装置１は、第１実施形態のストレッチ装置１と比較して以下の部分において異なる構成を有し、その他の部分において同一の構成を有する。第１実施形態のストレッチ装置１と共通する構成については同一の符号を付して、その説明の一部または全部を省略する。
【００２３】
第１実施形態のストレッチ装置１は、座部１０が座面傾斜角度θ１として所定の大きさを有する座面１１を有する。一方、第２実施形態のストレッチ装置１は、座部２０が第１伸縮機構３０を有する。
【００２４】
図３を参照して、ストレッチ装置１の概略構成について説明する。
図３（ａ）は、座部２０の側面図であり、内部構造を示している。ストレッチ装置１は、伸縮可能な構造を備えた座部２０を有する。座部２０は、表面がジャバラ構造を有する伸縮素材で構成される。座部２０は、座面１１および底面１２を有する。
【００２５】
座部２０は、座部支持板２１および座面支持部２２を有する。座部２０は、高さ方向における座部支持板２１と座面支持部２２との間に第１伸縮機構３０を有する。第１伸縮機構３０は、モーター３１、電動シリンダ３２、および駆動軸３３を備えたアクチュエーターである。第１伸縮機構３０は、モーター３１が発生する回転運動により、駆動軸３３が伸張または収縮する。
【００２６】
座部２０の底面１２が床面１００に接するように設置されるとき、座面１１の座面傾斜角度θ１は、駆動軸３３の伸張量に応じて変化する。つまり、座面１１は、駆動軸３３の伸張量を変更することにより床面１００に対する勾配を変更することができる。
【００２７】
駆動軸３３が最大伸張量とされるとき、図３（ｂ）に示されるように、座部２０の座面１１は、床面１００に対する勾配が最も急峻となる。使用者８０は、座面１１の床面１００に対する勾配を適切な値に設定してストレッチを実施する。
【００２８】
図４は、第１伸縮機構３０の駆動軸３３が最も収縮した状態を示している。
図４（ａ）に示されるように、第１伸縮機構３０の駆動軸３３が最も収縮した状態においては、座面１１は、座面傾斜角度θ１が最も小さな値となる。座面１１の座面傾斜角度θ１は、駆動軸３３の収縮量に応じて変化する。
【００２９】
図４（ｂ）に示されるように、座部２０は、第１伸縮機構３０の駆動軸３３が最も収縮するとき、座面１１の座面傾斜角度θ１が最も小さい収納状態を形成する。
第２実施形態のストレッチ装置１は、第１実施形態のストレッチ装置１が奏する（１）および（２）と同様の効果を奏する。すなわち、使用者８０が座部１０に着座し突起部１３に大腿部９１を載せることにより、大腿裏筋肉９５が伸ばされるストレッチ効果を得ることができる旨の効果および大腿裏筋肉９５のストレッチを効果的に行うことができる旨の効果を奏する。また、ストレッチ装置１は、以下の効果を奏する。
【００３０】
（３）ストレッチ装置１は、伸縮可能な構造を備えた座部２０を有する。座部２０は、座面１１および底面１２を有する。座部２０は、第１伸縮機構３０を有する。第１伸縮機構３０は、モーター３１、電動シリンダ３２、および駆動軸３３を有する。座面１１の座面傾斜角度θ１は、第１伸縮機構３０の駆動軸３３の伸張量に応じて変更される。この構成によれば、使用者８０は、ストレッチ動作を行うとき、第１伸縮機構３０の駆動軸３３の伸張量を調整して座面１１の座面傾斜角度θ１を設定する。使用者８０は、座面１１の座面傾斜角度θ１を変更することができる。このため、使用者８０は、ストレッチ実施時の体調に応じて座面１１の座面傾斜角度θ１を変更して、体調に合ったストレッチを行うことができる。また、使用者８０は、自身の体格に応じて座面１１の座面傾斜角度θ１を変更して、体格に依存しない効果的なストレッチを行うことができる。
【００３１】
（４）ストレッチ装置１は、伸縮可能な構造を備えた座部２０を有する。座部２０は、座面１１および底面１２を有する。座部２０は、第１伸縮機構３０を有する。第１伸縮機構３０は、モーター３１、電動シリンダ３２、および駆動軸３３を有する。座面１１の座面傾斜角度θ１は、第１伸縮機構３０の駆動軸３３の収縮量に応じて変更される。この構成によれば、使用者８０は、第１伸縮機構３０の駆動軸３３を最も収縮させ、座面１１の座面傾斜角度θ１が最も小さい収納状態を形成することができる。このため、ストレッチ装置１は、非使用時に省スペースの収納が可能となる。
【００３２】
（第３実施形態）
第３実施形態のストレッチ装置１は、第１実施形態のストレッチ装置１と比較して以下の部分において異なる構成を有し、その他の部分において同一の構成を有する。第１実施形態のストレッチ装置１と共通する構成については同一の符号を付して、その説明の一部または全部を省略する。
【００３３】
第１実施形態のストレッチ装置１は、座部１０が座面傾斜角度θ１として所定の大きさを有する座面１１を有する。一方、第３実施形態のストレッチ装置１は、座部１０がさらに背もたれ部１６有する。
【００３４】
図５を参照して、ストレッチ装置１の概略構成について説明する。
図５（ａ）に示されるように、座部１０は、座面１１の傾斜面の高さ方向における高位側である座部１０の後部に背もたれ部１６を有する。使用者８０は、ストレッチを行うとき、座面１１に着座する。図５（ｂ）に示されるように、使用者８０が座面１１に着座するとき、背部８１は、背もたれ部１６と接する。使用者８０の背部８１は、丸みを帯びることなく、背筋が伸びる姿勢となる。使用者８０は、大腿部９１の裏側に位置する大腿裏筋肉９５を突起部１３に載せ、ストレッチを行う。
【００３５】
背もたれ部１６は、座面１１との接合部に歯車および歯車止めを備えたラチェット機構を有する。背もたれ部１６は、ラチェット機構の歯車を回転させることにより座面１１に対して前後方向に回動可能とされる。使用者８０は、より効果的なストレッチを行いたいとき、背もたれ部１６を前方向に回動させる。
【００３６】
図６は、ストレッチ装置１において背もたれ部１６が前方向に回動された状態を示している。
図６（ａ）に示されるように、背もたれ部１６は、前方向に回動するとき、座面１１に対する背もたれ傾斜角度θ２が９０度よりも小さい値となる。使用者８０は、ストレッチを行うとき、背もたれ部１６が前方向に回動することにより、使用者８０の背部８１が前方向に押される。使用者８０の上半身がより前傾姿勢となる。使用者８０は、背筋が伸びた状態で上半身がより前傾姿勢となるため骨盤が前に倒れた状態でストレッチを行う。
【００３７】
ストレッチ装置１によれば、第１実施形態のストレッチ装置１が奏する（１）および（２）と同様の効果を奏する。また、ストレッチ装置１は、以下の効果を奏する。
（５）座部１０は、座面１１の傾斜面の高さ方向における高位側である座部１０の後方に背もたれ部１６を有する。使用者８０は、座面１１に着座するとき、背部８１が背もたれ部１６に接する。この構成によれば、使用者８０は、ストレッチを行うとき、背筋が伸びた状態で上半身が前傾姿勢となる。このため、使用者８０は、骨盤が確実に前方に倒れる。このため、より効果的なストレッチを行うことができる。
【００３８】
（６）座部１０は、座面１１の傾斜面の高さ方向における高位側である座部１０の後方に背もたれ部１６を有する。背もたれ部１６は、座面１１に対して前後方向に回動可能とされる。背もたれ部１６は、前方向に回動するとき、背もたれ傾斜角度θ２が９０度よりも小さい値となる。この構成によれば、使用者８０は、座面１１に着座するとき、背筋が伸びた状態で上半身が深い前傾姿勢となり、骨盤が深く前方に倒れる。このため、使用者８０は、より効果的なストレッチを行うことができる。
【００３９】
（第４実施形態）
第４実施形態のストレッチ装置１は、第１実施形態のストレッチ装置１と比較して以下の部分において異なる構成を有し、その他の部分において同一の構成を有する。第１実施形態のストレッチ装置１と共通する構成については同一の符号を付して、その説明の一部または全部を省略する。
【００４０】
第１実施形態のストレッチ装置１は、座部１０が座面１１から突出した形状が座面１１の前端部において左右方向に伸びる横長形状の突起部１３を有する。一方、第４実施形態のストレッチ装置１は、座部１０が左右方向における中央部が前方に突出した弧状の弧状突起部１４を有する。
【００４１】
図７を参照して、ストレッチ装置１の概略構成について説明する。
図７（ａ）に示されるように、座部１０は、前端部に左右方向における中央部が前方に突出した弧状の弧状突起部１４を有する。使用者８０は、ストレッチを行うとき、座面１１に着座する。使用者８０は、大腿部９１の裏側に位置する大腿裏筋肉９５を弧状突起部１４に載せる姿勢をとる。
【００４２】
使用者８０は、ストレッチを行うとき、両脚を任意の開脚状態に設定する。図７（ｂ）に示されるように、使用者８０は、両脚の大腿部９１の裏側に位置する大腿裏筋肉９５を弧状突起部１４に載せる。図７（ｂ）の実線は、使用者８０の両脚の開脚角度が大きい場合での脚部９０を示している。図７（ｂ）の破線は、使用者８０の両脚の開脚角度が小さい場合での脚部９０を示している。使用者８０の脚部９０は、開脚角度に依存しないで大腿部９１における略同一位置が弧状突起部１４と接する。
【００４３】
ストレッチ装置１によれば、第１実施形態のストレッチ装置１が奏する（１）および（２）と同様の効果を奏する。また、ストレッチ装置１は、以下の効果を奏する。
（７）ストレッチ装置１の座部１０は、前端部に左右方向における中央部が前方に突出した弧状の弧状突起部１４を有する。この構成によれば、使用者８０は、開脚角度を大きくした脚部９０の大腿部９１を弧状突起部１４に載せたとき、太ももの内側を弧状突起部１４押し付けることができる。このため、使用者８０は、太ももの内側に対する効果的なストレッチを行うことができる。
【００４４】
（８）ストレッチ装置１の座部１０は、前端部に左右方向における中央部が前方に突出した弧状の弧状突起部１４を有する。この構成によれば、使用者８０は、脚部９０の開脚角度に依存しないで大腿部９１における略同一位置を突起部に載せることができる。このため、使用者８０は、脚部９０の開脚状態に依存しないで、良好なストレッチ効果を得ることができる。
【００４５】
（第５実施形態）
第５実施形態のストレッチ装置１は、第１実施形態のストレッチ装置１と比較して以下の部分において異なる構成を有し、その他の部分において同一の構成を有する。第１実施形態のストレッチ装置１と共通する構成については同一の符号を付して、その説明の一部または全部を省略する。
【００４６】
第１実施形態のストレッチ装置１は、座部１０が座面１１から突出した形状が座面１１の前端部において左右方向に伸びる横長形状の突起部１３を有する。一方、第５実施形態のストレッチ装置１は、使用者８０の脚部を押圧する脚部押圧機構としての上部押圧部４０を有する。
【００４７】
図８を参照して、ストレッチ装置１の概略構成を説明する。
図８（ａ）に示されるように、ストレッチ装置１は、座部１０を有する。座部１０は、座面１１、底面１２、および突起部１３を有する。ストレッチ装置１は、脚部押圧機構としての上部押圧部４０を有する。上部押圧部４０は、座部１０の前端部の左右に配置される一対の第２伸縮機構４１および第１押圧部４２を有する。第１押圧部４２は、第２固定軸４４により一対の第２伸縮機構４１の一端に固定される。一対の第２伸縮機構４１の他端は、第１固定軸４３により座部１０の前端部の左右に固定される。
【００４８】
上部押圧部４０は、第２伸縮機構が伸張するとき、第１押圧部４２が座部１０から遠ざかるように上下方向における上方に移動する。上部押圧部４０は、第２伸縮機構が収縮するとき、第１押圧部４２が座部１０に近づくように上下方向における下方に移動する。
【００４９】
図８（ｂ）に示されるように、使用者８０は、ストレッチを行うとき、座面１１に着座する。このとき、第２伸縮機構４１が伸張しており、第１押圧部４２は、座部１０の前方で座部１０の上方に位置している。使用者８０は、大腿部９１の裏側に位置する大腿裏筋肉９５を突起部１３に載せ、膝９２を伸ばした状態で踵９４が床面１００に接する姿勢をとる。上部押圧部４０は、第２伸縮機構４１が収縮するとき、第１押圧部４２で使用者８０の突起部１３と接する位置よりも膝９２に寄った大腿部９１の位置を上面から押圧する。第１押圧部４２は、ポリプロピレンを原料にした低反発素材により形成される。
【００５０】
ストレッチ装置１によれば、第１実施形態のストレッチ装置１が奏する（１）および（２）と同様の効果を奏する。また、ストレッチ装置１は、以下の効果を奏する。
（９）ストレッチ装置１は、座部１０を有する。座部１０は、座面１１、底面１２、および突起部１３を有する。ストレッチ装置１は、脚部押圧機構としての上部押圧部４０を有する。上部押圧部４０は、一対の第２伸縮機構４１および第１押圧部４２を有する。上部押圧部４０は、第２伸縮機構４１が伸張するとき、第１押圧部４２が座部１０から遠ざかるように上下方向における上方に移動する。上部押圧部４０は、第２伸縮機構４１が収縮するとき、第１押圧部４２が座部１０に近づくように上下方向における下方に移動する。この構成によれば、上部押圧部４０は、使用者８０がストレッチを行うとき、使用者８０の突起部１３と接する位置よりも膝９２に寄った大腿部９１の位置を上面から押さえることができる。このため、使用者８０の大腿裏筋肉９５は、突起部１３により強く押しつけられて伸ばされる。このため、使用者８０は、大腿裏筋肉９５に対して、より効果的に伸ばす力を加えるストレッチを行うことができる。
【００５１】
（第６実施形態）
第６実施形態のストレッチ装置１は、第５実施形態のストレッチ装置１と比較して以下の部分において異なる構成を有し、その他の部分において同一の構成を有する。第５実施形態のストレッチ装置１と共通する構成については同一の符号を付して、その説明の一部または全部を省略する。
【００５２】
第５実施形態のストレッチ装置１は、使用者８０の脚部を押圧する脚部押圧機構としての上部押圧部４０を有する。一方、第６実施形態のストレッチ装置１は、使用者８０の脚部を押圧する脚部押圧機構としての側部押圧部５０を有する。
【００５３】
図９を参照して、ストレッチ装置１の概略構成を説明する。
図９（ａ）に示されるように、ストレッチ装置１は、座部１０を有する。座部１０は、座面１１、底面１２、および突起部１３を有する。ストレッチ装置１は、脚部押圧機構としての側部押圧部５０を有する。側部押圧部５０は、座部１０の前端部の左右に配置される一対の支持板５１および一対の第２押圧部５２を有する。一対の第２押圧部５２は、一対の支持板５１の一端に固定される。一対の支持板５１の他端は、座部１０の前端部の左右にバネ式丁番５３（図９（ｂ）参照）により固定される。
【００５４】
左右一対の支持板５１は、バネ式丁番５３が開かれるとき、バネ式丁番５３を支点として左右方向に開く。第２押圧部５２は、バネ式丁番５３が開かれるとき、座部１０から左右方向に離れる。
【００５５】
左右一対の支持板５１は、バネ式丁番５３が閉じられるとき、バネ式丁番５３を支点として座部１０方向に閉じる。第２押圧部５２は、バネ式丁番５３が閉じられるとき、座部１０方向に閉じて左右の第２押圧部５２間の間隔が縮まる。
【００５６】
図９（ｂ）に示されるように、使用者８０は、ストレッチを行うとき、座面１１に着座する。このとき、側部押圧部５０は、バネ式丁番５３が開かれており、支持板５１および第２押圧部５２は２点鎖線で示される位置となっている。このため、使用者８０は、支持板５１および第２押圧部５２に邪魔されることなく座面１１に着座することができる。使用者８０は、大腿部９１の裏側に位置する大腿裏筋肉９５を突起部１３に載せてバネ式丁番５３を閉じる操作を行う。支持板５１および第２押圧部５２は、実線で示される位置となり、第２押圧部５２で使用者８０の突起部１３と接する位置よりも膝９２に寄った大腿部９１の位置を側面または側面上方から押圧する。第２押圧部５２は、ポリプロピレンを原料にした低反発素材により形成される。
【００５７】
ストレッチ装置１によれば、第１および第５実施形態のストレッチ装置１が奏する（１）、（２）および（９）と同様の効果を奏する。また、ストレッチ装置１は、以下の効果を奏する。
【００５８】
（１０）ストレッチ装置１は、座部１０を有する。座部１０は、座面１１、底面１２、および突起部１３を有する。ストレッチ装置１は、脚部押圧機構としての側部押圧部５０を有する。側部押圧部５０は、支持板５１の一端に固定された第２押圧部５２を有する。支持板５１の他端は、バネ式丁番５３により座部１０の前端部の左右に固定される。この構成によれば、使用者８０がストレッチを行うとき、側部押圧部５０は、使用者８０の突起部１３と接する位置よりも膝９２に寄った大腿部９１の位置を側面または側面上方から押圧することができる。このため、押圧によって加わる力のベクトル成分として横方向の成分が加わり、使用者８０は、大腿部９１をひねりながら大腿裏筋肉９５を伸ばすストレッチを行うことができる。このため、使用者８０は、より良好なストレッチ効果を得ることができる。また、側部押圧部５０は、使用者８０の前方を遮ることなしに使用者８０の脚部を押さえることができる。このため、使用者８０は、煩わしさを感じすに効果的なストレッチを行うことができる。
【００５９】
（第７実施形態）
第７実施形態のストレッチ装置１は、第１実施形態のストレッチ装置１と比較して以下の部分において異なる構成を有し、その他の部分において同一の構成を有する。第１実施形態のストレッチ装置１と共通する構成については同一の符号を付して、その説明の一部または全部を省略する。
【００６０】
第１実施形態のストレッチ装置１は、座部１０が座面１１から突出した形状が座面１１の前端部において左右方向に伸びる横長形状の突起部１３を有する。一方、第７実施形態のストレッチ装置１は、座部１０が座面エアバッグ１５を有する。
【００６１】
図１０を参照して、ストレッチ装置１の概略構成を説明する。
図１０（ａ）に示されるように、ストレッチ装置１は、座部１０を有する。座部１０は、座面１１、底面１２、および座面エアバッグ１５を有する。図１０（ａ）においては、座面エアバッグ１５は、収縮した状態として示されている。座部１０は、エアバッグ駆動部６０を有する。
【００６２】
図１０（ｂ）は、エアバッグ駆動部６０のブロック構成を示している。
エアバッグ駆動部６０は、ポンプ６１、電磁弁６２、制御部６３、および操作部６４を有する。ポンプ６１は、圧縮エアーを発生する。ポンプ６１が発生する圧縮エアーは、電磁弁６２およびホース６５を経由して座面エアバッグ１５に供給される。制御部６３は、操作部６４からの操作信号に基づいて、電磁弁６２を制御して座面エアバッグ１５を膨張および収縮させる。
【００６３】
図１０（ｃ）に示されるように、座面エアバッグ１５は、ポンプ６１からの圧縮エアーを受けて膨張するとき、座面１１上に突起部を形成する。
使用者８０は、ストレッチを行うとき、座面１１に着座する。使用者８０は、大腿部９１の裏側に位置する大腿裏筋肉９５を膨張状態とされた座面エアバッグ１５に載せてストレッチを行う。
【００６４】
ストレッチ装置１によれば、第１実施形態のストレッチ装置１が奏する（１）および（２）と同様の効果を奏する。また、ストレッチ装置１は、以下の効果を奏する。
（１１）ストレッチ装置１は、座部１０を有する。座部１０は、座面１１、底面１２、座面エアバッグ１５、およびエアバッグ駆動部６０を有する。座面エアバッグ１５は、エアバッグ駆動部６０が有するポンプ６１からの圧縮エアーを受けて膨張するとき、座面１１上に突起部を形成する。この構成によれば、使用者８０は、ストレッチを行うとき、座面１１に着座する。使用者８０は、大腿部９１の裏側に位置する大腿裏筋肉９５を座面エアバッグ１５に載せてストレッチを行う。このため、使用者８０は、大腿裏筋肉９５を弾性を有する座面エアバッグ１５の広い範囲と接触させることができる。このため、使用者８０は、大腿裏筋肉９５を広い範囲で伸ばすことができる。また、使用者８０は、弾性を有する座面エアバッグ１５と大腿裏筋肉９５を接触させ安全に伸ばすことができる。
【００６５】
（１２）ストレッチ装置１は、座部１０を有する。座部１０は、座面１１および底面１２を有する。座部１０は、膨張収縮が可能な座面エアバッグ１５を有する。この構成によれば、使用者８０は、座面エアバッグ１５を収縮させた状態で収納することができる。このため、ストレッチ装置１は、非使用時に省スペースの収納が可能となる。
【００６６】
（第８実施形態）
第８実施形態のストレッチ装置１は、第１実施形態のストレッチ装置１と比較して以下の部分において異なる構成を有し、その他の部分において同一の構成を有する。第１実施形態のストレッチ装置１と共通する構成については同一の符号を付して、その説明の一部または全部を省略する。
【００６７】
第１実施形態のストレッチ装置１は、座部１０が座面１１から突出した形状が座面１１の前端部において左右方向に伸びる横長形状の突起部１３を有する。一方、第８実施形態のストレッチ装置１は、座部１０が突起部としての前後方向に回転する回転部７０を有する。
【００６８】
図１１を参照して、ストレッチ装置１の概略構成を説明する。
図１１（ａ）に示されるように、ストレッチ装置１は、座部１０を有する。座部１０は、座面１１、底面１２、および突起部としての回転部７０を有する。回転部７０は、座部１０の前端部の左右に配置される一対のローラー支持板７１およびローラー７２を有する。ローラー７２は、一対のローラー支持板７１の一端に回転軸７３を用いて固定される。一対のローラー支持板７１の他端は、座部１０の前端部の左右に第３固定軸７４により固定される。ローラー７２は、前後方向に回転可能とされる。
【００６９】
図１１（ｂ）に示されるように、使用者８０は、ストレッチを行うとき、座面１１に着座する。使用者８０は、大腿部９１の裏側に位置する大腿裏筋肉９５を回転部７０のローラー７２に載せてストレッチを行う。
【００７０】
ストレッチ装置１によれば、第１実施形態のストレッチ装置１が奏する（１）および（２）と同様の効果を奏する。また、ストレッチ装置１は、以下の効果を奏する。
（１３）ストレッチ装置１は、座部１０を有する。座部１０は、座面１１、底面１２、および突起部としての回転部７０を有する。回転部７０は、ローラー支持板７１およびローラー７２を有する。この構成によれば、使用者８０は、ストレッチを行うとき、座面１１に着座する。使用者８０は、大腿部９１の裏側に位置する大腿裏筋肉９５をローラー７２に載せてストレッチを行う。このため、使用者８０は、ストレッチにともなう脚部９０の動きに応じてローラー７２が回転し大腿裏筋肉９５に刺激を受ける。このため、使用者８０は、大腿裏筋肉９５のストレッチと合わせてマッサージ効果を得ることができる。
【００７１】
（第９実施形態）
第９実施形態のストレッチ装置１は、第３実施形態のストレッチ装置１と比較して以下の部分において異なる構成を有し、その他の部分において同一の構成を有する。第１実施形態のストレッチ装置１と共通する構成については同一の符号を付して、その説明の一部または全部を省略する。
【００７２】
第３実施形態のストレッチ装置１は、座部１０が座面１１に対して前後方向に回動可能な背もたれ部１６を有する。一方、第９実施形態のストレッチ装置１は、背もたれ部１６がさらに背部エアバッグ１７を有する。
【００７３】
図１２を参照して、ストレッチ装置１の概略構成を説明する。
図１２（ａ）に示されるように、ストレッチ装置１は、座部１０を有する。座部１０は、座面１１、底面１２、および突起部１３を有する。座部１０は、座面１１の傾斜面の高さ方向における高位側である座部１０の後方に背もたれ部１６を有する。背もたれ部１６は、背部エアバッグ１７を有する。座部１０は、エアバッグ駆動部６０を有する。エアバッグ駆動部６０は、図１０（ｂ）に示される構成を有する。背部エアバッグ１７は、エアバッグ駆動部６０からの駆動により、膨張および収縮する。
【００７４】
使用者８０は、ストレッチを行うとき、座面１１に着座する。図５（ｂ）に示されるように、使用者８０の背部８１は、背もたれ部１６と接する。使用者８０の背部８１は、丸みを帯びることなく、背筋が伸びる姿勢となる。使用者８０は、大腿部９１の裏側に位置する大腿裏筋肉９５を突起部１３に載せ、ストレッチを行う。使用者８０は、より効果的なストレッチを行いたいとき、背部エアバッグ１７を膨張させる操作を行う。
【００７５】
図１２（ｂ）に示されるように、背部エアバッグ１７がエアバッグ駆動部６０からの駆動により膨張するとき、背部エアバッグ１７は、使用者８０の背部８１を押圧する。使用者８０は、ストレッチを行うとき、背部エアバッグ１７が使用者８０の背部８１を押圧することにより、使用者８０の背部８１が前方向に押される。使用者８０の上半身がより前傾姿勢となる。使用者８０は、背筋が伸びた状態で上半身がより前傾姿勢となるため骨盤が前に倒れた状態でストレッチを行う。
【００７６】
ストレッチ装置１によれば、第１実施形態のストレッチ装置１が奏する（１）および（２）、および第３実施形態のストレッチ装置１が奏する（５）および（６）と同様の効果を奏する。また、ストレッチ装置１は、以下の効果を奏する。
【００７７】
（１４）座部１０は、座面１１の傾斜面の高さ方向における高位側である座部１０の後方に背もたれ部１６を有する。背もたれ部１６は、背部エアバッグ１７を有する。背部エアバッグ１７が膨張するとき、背部エアバッグ１７は、使用者８０の背部８１を押圧する。この構成によれば、使用者８０は、座面１１に着座するとき、背筋が伸びた状態で上半身が深い前傾姿勢となり、骨盤が深く前方に倒れる。このため、使用者８０は、より効果的なストレッチを行うことができる。また、使用者８０は、弾性を有する背部エアバッグ１７での背部８１の押圧により、ソフトなタッチの前屈のアシストを受けることができる。このため、筋肉を傷めることがなく安全なストレッチを行うことができる。
【００７８】
（その他の実施形態）
本ストレッチ装置は、第１〜第９実施形態以外の実施形態を含む。以下、本ストレッチ装置のその他の実施形態としての第１〜第９実施形態の変形例を示す。なお、以下の各変形例は、互いに組み合わせることもできる。
【００７９】
・第１実施形態のストレッチ装置１は、突起部１３がポリプロピレンを原料にした低反発素材により形成される。ただし、突起部１３を形成する素材は第１実施形態に示された内容に限られない。例えば、変形例のストレッチ装置１は、突起部１３がシリコンを原料にした低反発素材により形成される。または、突起部１３は、ゴムを原料にした素材により形成される。ようするに、突起部１３を形成する素材は、衝撃を吸収するとともに、弱い反発力を有する素材であればよい。
【００８０】
・第２実施形態のストレッチ装置１は、第１伸縮機構がモーター３１、電動シリンダ３２、および駆動軸３３を備えたアクチュエーターにより構成される。ただし、第１伸縮機構の構成は第２実施形態に示された内容に限られない。例えば、変形例のストレッチ装置１は、第１伸縮機構がモーター、ボールねじ、およびロッド体を備えたアクチュエーターにより構成される。または、その他の伸縮機構により構成される。
【００８１】
・第３実施形態のストレッチ装置１は、背もたれ部１６と座面１１との接合部に歯車および歯車止めを備えたラチェット機構を有する。ただし、背もたれ部１６と座面１１との接合は第３実施形態示された内容に限られない。例えば、変形例のストレッチ装置１は、背もたれ部１６と座面１１との接合部にガス圧シリンダを有する。または、背もたれ部１６と座面１１との接合部に板バネを有する。
【００８２】
・第５実施形態のストレッチ装置１は、第１押圧部４２がポリプロピレンを原料にした低反発素材により形成される。ただし、第１押圧部４２を形成する素材は第５実施形態に示された内容に限られない。例えば、変形例のストレッチ装置１は、第１押圧部４２がシリコンを原料にした低反発素材により形成される。または、第１押圧部４２は、ゴムを原料にした素材により形成される。ようするに、第１押圧部４２を形成する素材は、衝撃を吸収するとともに、弱い反発力を有する素材であればよい。
【００８３】
・第５実施形態のストレッチ装置１は、第１押圧部４２がポリプロピレンを原料にした低反発素材により形成される。ただし、第１押圧部４２は第５実施形態に示された内容に限られない。例えば、変形例のストレッチ装置１は、第１押圧部４２がエアバッグにより構成される。
【００８４】
・第５実施形態のストレッチ装置１は、上部押圧部４０として、第２伸縮機構４１に固定された第１押圧部４２を有し、第２伸縮機構４１が収縮することにより第１押圧部４２が使用者８０の脚部を上部から押圧する。ただし、上部押圧部４０の構成は、第５実施形態に例示された内容に限られない。例えば、変形例のストレッチ装置１における上部押圧部４０は、座部１０の左右両端部に第１脚部エアバッグを備えた側壁部を有する。第１脚部エアバッグは、使用者８０がストレッチを行うとき、膨張して使用者８０の突起部１３と接する位置よりも膝９２に寄った大腿部９１の位置を上面から押圧する。
【００８５】
・第６実施形態のストレッチ装置１は、第２押圧部５２がポリプロピレンを原料にした低反発素材により形成される。ただし、第２押圧部５２を形成する素材は第６実施形態に示された内容に限られない。例えば、変形例のストレッチ装置１は、第２押圧部５２がシリコンを原料にした低反発素材により形成される。または、第２押圧部５２は、ゴムを原料にした素材により形成される。ようするに、第２押圧部５２を形成する素材は、衝撃を吸収するとともに、弱い反発力を有する素材であればよい。
【００８６】
・第６実施形態のストレッチ装置１は、第２押圧部５２がポリプロピレンを原料にした低反発素材により形成される。ただし、第２押圧部５２は第６実施形態に示された内容に限られない。例えば、変形例のストレッチ装置１は、第２押圧部５２がエアバッグにより構成される。
【００８７】
・第６実施形態のストレッチ装置１は、側部押圧部５０として、バネ式丁番５３、支持板５１、および第２押圧部５２を有し、バネ式丁番５３が閉じることにより支持板５１に固定された第２押圧部５２が使用者８０の脚部を側部から押圧する。ただし、側部押圧部５０の構成は、第６実施形態に例示された内容に限られない。例えば、変形例のストレッチ装置１における側部押圧部５０は、座部１０の左右両端部に第２脚部エアバッグを備えた側壁部を有する。第２脚部エアバッグは、使用者８０がストレッチを行うとき、膨張して使用者８０の突起部１３と接する位置よりも膝９２に寄った大腿部９１の位置を側面または側面上方から押圧する。
【符号の説明】
【００８８】
１…ストレッチ装置、１０…座部、１１…座面、１３…突起部、１４…弧状突起部、１５…座面エアバッグ、１６…背もたれ部、１７…背部エアバッグ、２０…座部、４０…上部押圧部、５０…側部押圧部、７０…回転部、８０…使用者、８１…背部、９０…脚部、９１…大腿部、θ１…座面傾斜角度。
【図１】
2014100223.tif 000003
【図２】
2014100223.tif 000004
【図３】
2014100223.tif 000005
【図４】
2014100223.tif 000006
【図５】
2014100223.tif 000007
【図６】
2014100223.tif 000008
【図７】
2014100223.tif 000009
【図８】
2014100223.tif 000010
【図９】
2014100223.tif 000011
【図１０】
2014100223.tif 000012
【図１１】
2014100223.tif 000013
【図１２】
2014100223.tif 000014